(57)【要約】【課題】盛土最上段の法面を所定の角度に調整し、安全にかつ安定に施工するために用いる鋼製枠、およびそれを用いた盛土工法を提供すること。【解決手段】縦軸材と横軸材とからなる溶接金網をＬ字状に成形した鋼製枠であって、その鋼製枠の前面部分上端にはそれを覆う長尺の蓋が着脱自在に取り付けられており、またその蓋の側面には前面部分上端を固定するためのアンカー付斜体材の一端を挿入可能にする孔が少なくとも１個所設けられている蓋付鋼製枠である。また、この蓋付鋼製枠を盛土最上段の法面構築箇所に設置し、アンカー付斜体材の一端をその蓋に設けられた孔に挿通して前面部分上端に接続し、斜体材の他端を盛土にアンカーとして打ち込み、その後蓋付鋼製枠の前面部分と底面部分とで囲まれた区域に盛土する盛土工法である。【選択図】　　　　　図１
2004143775.tif 000002
【特許請求の範囲】
【請求項１】
縦軸材と横軸材とからなる溶接金網で形成され、かつ前面部分と底面部分とを含むＬ字状の鋼製枠であって、その鋼製枠の前面部分上端には縦軸材が横軸材との交点から突出したその先端を覆う長尺の蓋が着脱自在に取り付けられており、その蓋の盛土側の側面には前面部分上端を固定するためのアンカー付斜体材の一端を挿入可能にする孔が少なくとも１個所設けられていることを特徴とする蓋付鋼製枠。
【請求項２】
請求項１に記載の蓋付鋼製枠は、さらにその前面部分と底面部分とのなす角度を一定に保つ斜体材を保持していることを特徴とする蓋付鋼製枠。
【請求項３】
請求項１または２に記載の蓋付鋼製枠は、さらにその前面部分上端を固定するためのアンカー付斜体材を保持していることを特徴とする蓋付鋼製枠。
【請求項４】
縦軸材と横軸材とからなる溶接金網で形成され、かつ前面部分と底面部分とを含むＬ字状の鋼製枠であって、その鋼製枠の前面部分上端には縦軸材が横軸材との交点から突出したその先端を覆う長尺の蓋が着脱自在に取り付けられており、その蓋の盛土側の側面には前面部分上端を固定するためのアンカー付斜体材の一端を挿入可能にする孔が少なくとも１個所設けられている蓋付鋼製枠を盛土最上段の法面構築箇所に設置し、次いでアンカー付斜体材の一端をその蓋に設けられた孔に挿通して前面部分上端に接続し、斜体材の他端を盛土にアンカーとして打ち込み、その後蓋付鋼製枠の前面部分と底面部分とで囲まれた区域に盛土することを特徴とする盛土工法。
【請求項５】
請求項４に記載の鋼製枠は、さらにその前面部分の中間位置と底面部分とに斜体材の各端部を取り付けて前面部分と底面部分とのなす角度を一定に保つことを特徴とする盛土工法。
【発明の詳細な説明】
【０００１】
【発明の属する技術分野】
本発明は、盛土最上段の法面を構築するために用いる蓋付きの鋼製枠およびそれを用いた盛土工法に関する。
【０００２】
【発明の技術的背景】
盛土によって道路や土地を造成する場合、近年はジオグリッドと呼ばれる盛土補強材を多用して、短期間に強固な盛土体を構築している。図６は、従来の盛土工法を説明するために示す概略的な断面図である。地盤２０の水平面にはプラスチック製の網状体や繊維シート２１を敷設し、また法面になる箇所には金属製やプラスチック製の網状体２２を立ち上げてから盛土し、それら材料の組み合わせによって崩れ易い、不安定な盛土体２３の補強を図っている。盛土体を高く構築する場合には、前記の工法を繰り返して第２段目の盛土、第３段目の盛土等と多段に積み上げる施工法が採用されている。
【０００３】
法面を形成するために用いる網状体２２としては、プラスチック製のネット、方形の格子目を持った溶接金網、菱形の格子目をもったエキスパンドメタル材等が実際に使用されている。それらの中でも、急勾配盛土を構築する場合には、機械的強度が高く、かつ軽量で柔軟性のある溶接金網が適している。施工に際して、そのような網状体は、法面の形状に合わせて成形した枠体の形で使用に供されることが多い。
【０００４】
図７は、急勾配盛土の構築に使用される枠体の一例を示す概略斜視図である。枠体２４は、方形の格子目を持った溶接金網をＬ字状に曲げ加工して、前面部分および底面部分とを形成してある。その枠体２４の前面部分の上端には、溶接金網を構成する縦軸材が横軸材との交点よりも上方へ突出した先端部２５が存在している。この枠体２４を複数個法面になる箇所に順次積み上げていく場合、その先端部２５を外側（盛土側とは反対側）に折り曲げてフック状の係合部２６を形成させておき、それよりも上の位置に来る枠体２４の底面部分の格子材に引っ掛けることで、複数個の枠体を上下方向へと連結させている。
【０００５】
しかしながら、この枠体２４を多段盛土の最上段に設置した場合、先端部２５は折り曲げることなく設置されるので、先端が尖ったそのままの状態で表面に露出することになる。また、盛土の高さや形状を調節するために、溶接金網の縦軸材を途中で短い長さに切断したり、あるいは縦軸材を幅方向に向かって斜めに切断することも行なわれる。いずれにしても縦軸材の先端部２５が尖った状態で表面に露出することになり、工事関係者にとっては危険な状況下にさらされ、作業効率を低下させる一因にもなっている。
【０００６】
さらに、枠体２４の前面部分上端が他の枠体等と接続されていない場合、盛土の転圧作業中にその前面部分が外側へ向かう力を受けて、前面部分と底面部分とのなす角度が広がったり、地盤表面が不安定になったりすることから、前面部分上端を固定する手段が求められている。
【０００７】
【特許文献１】
特開平５−２８７７５０号公報
【特許文献２】
特開平１０−１５９１０２号公報
【０００８】
【発明が解決しようとする課題】
そこで本発明は、盛土最上段の法面を所定の角度に調整し、安全にかつ安定に施工するために用いる鋼製枠の提供、およびそれを用いた盛土工法の提供を目的にする。
【０００９】
【課題を解決するための手段】
すなわち本発明は、縦軸材と横軸材とからなる溶接金網で形成され、かつ前面部分と底面部分とを含むＬ字状の鋼製枠であって、その鋼製枠の前面部分上端には縦軸材が横軸材との交点から突出したその先端を覆う長尺の蓋が着脱自在に取り付けられており、その蓋の盛土側の側面には前面部分上端を固定するためのアンカー付斜体材の一端を挿入可能にする孔が少なくとも１個所設けられている蓋付鋼製枠に関する。この蓋付鋼製枠は、さらにその前面部分と底面部分とのなす角度を一定に保つ斜体材、および／またその前面部分上端を固定するためのアンカー付斜体材を保持していることが望ましい。
【００１０】
また本発明は、縦軸材と横軸材とからなる溶接金網で形成され、かつ前面部分と底面部分とを含むＬ字状の鋼製枠であって、その鋼製枠の前面部分上端には縦軸材が横軸材との交点から突出したその先端を覆う長尺の蓋が着脱自在に取り付けられており、その蓋の盛土側の側面には前面部分上端を固定するためのアンカー付斜体材の一端を挿入可能にする孔が少なくとも１個所設けられている蓋付鋼製枠を盛土最上段の法面構築箇所に設置し、次いでアンカー付斜体材の一端をその蓋に設けられた孔に挿通して前面部分上端に接続し、斜体材の他端を盛土にアンカーとして打ち込み、その後蓋付鋼製枠の前面部分と底面部分とで囲まれた区域に盛土する盛土工法に関する。この工法において、鋼製枠は、さらにその前面部分の中間位置と底面部分とに斜体材の各端部を取り付けて前面部分と底面部分とのなす角度を一定に保つことが望ましい。
【００１１】
【発明の具体的説明】
次に本発明に係わる蓋付鋼製枠およびそれを用いた盛土工法について、図面を参照して具体的に説明する。
【００１２】
図１は、本発明の蓋付鋼製枠の一例を概略的に示す斜視図であって、図２はその断面図である。蓋付鋼製枠１は、Ｌ字状の鋼製枠２とそれに着脱自在に取付けられている蓋３とから構成されている。鋼製枠２は、溶接金網から前面部分と底面部分とを成形し、両部分がほぼＬ字状に接続した構造を形成している。
【００１３】
このような鋼製枠は、溶接金網から前面部分および底面部分の各々に必要な大きさに予め別々に製造しておき、両者を溶接等の手段で設計角度に接続してもよいし、あるいは平面状の溶接金網を直接設計角度に曲げ加工してほぼＬ字状に成形したものであってもよい。それらの内でも、製造上の容易さから後者の方が好ましい。
【００１４】
溶接金網は、図１に示したように鋼線を縦軸材４および横軸材５にして格子状に組み合わせ、その交点を溶接して固定した、方形の格子目を有する網状体である。鋼製枠２の前面部分上端では、縦軸材４が横軸材５との交点から突出しているので、その突出した縦軸材先端部６を覆うようにして箱状の蓋３を着脱自在に被覆している。図３は、その蓋を概略的に示す斜視図である。蓋３は、その突出した縦軸材先端部６のすべてを覆うように設計された長尺の蓋物であって、鋼製枠２の横方向に相当するこの蓋３の側面には、後述するアンカー付斜体材８の上端を挿入可能にする孔９が少なくとも１個所設けられている。
【００１５】
この蓋付鋼製枠１には、鋼製枠２の前面部分と底面部分とのなす角度が設計値にほぼ近い一定角度を保つように斜体材７を保持していることが望ましい。それは、予め鋼製枠２に取り付けて固定してもよいし、後述する盛土施工時に取り付けて固定してもよい。斜体材７の取り付け方法の一例として、その一端を鋼製枠２の前面部分中間の格子材に引っ掛け、他端を底面部分の格子材に引っ掛けるようにして互いに係合させると、前面部分と底面部分とのなす角度を一定に固定することができる。
【００１６】
一方、鋼製枠２の前面部分上部が、盛土を転圧する際の圧力で外側、すなわち盛土側とは反対方向へと曲がり、鋼製枠２の前面部分と底面部分とのなす角度が広がるのを防止するために、鋼製枠２はさらにアンカー付斜体材８を保持することが望ましく、それによって前面部分上部を固定することができる。アンカー付斜体材８の取付け方法の一例として、盛土施工時に斜体材８の上端を蓋３に設けられた孔７に挿通し、前面部分上端の横軸材または縦軸材に引っ掛け、下端を盛土にアンカーとして打ち込む方法を挙げることができる。
【００１７】
なお、斜体材７およびアンカー付斜体材８の本体部分は、ターンバックル形状を有していてもよいし、図２に示した鋼線ないし鉄筋であってもよい。その両端には、互いに同方向または異方向に折り曲げた形状の係合部を形成保持させることによって、鋼製枠２の格子目に引っ掛けて接続したり、地盤に打ち込み固定してアンカーとすることが可能になる。
【００１８】
図４は、本発明の盛土工法を概略的に説明するために示す断面図である。まず第１段目の盛土は、地盤１０上に水平に地盤補強材１１を敷設し、一方、法面になる箇所に型枠１２を設置して盛土の端面を決める。地盤補強材１１および型枠１２は、アンカーピンやアンカーボルト等の手段を用いて適宜な間隔で各々地盤１０に固定し、また型枠１２と地盤補強材１１とは適宜な連結手段によって接続することが望ましい。盛土に先だって、型枠１２の盛土側の面に必要に応じて植生シートを被覆してもよい。
【００１９】
地盤補強材１１としては、金属製またはプラスチック製の網状体、あるいは厚手の不織布のような繊維シートを用いると、地盤を補強する効果が高いので好ましく、繊維シートはさらに水平方向の排水効果も有している。地盤補強材１１の一例として、プラスチック製のネット状物を一軸方向または二軸方向へと延伸処理を施した網状体を挙げることができ、それは高い引張強度と剛性、および強固な交点強度とを有し、かつ土壌の拘束力が高いので好ましい地盤補強材の一つである。図５は、一軸延伸を施したプラスチック製ネットの斜視図を示しており、三井化学産資株式会社から商品名テンサー（登録商標）として販売されている。また、地盤補強材１１として、網状体と繊維シートとを併用することも可能で、両者を重ねて敷設したり、水平に敷設した網状体間に繊維シートを配置する敷設方法を採用することもできる。
【００２０】
法面を構築するための型枠１２は、金属製ないしプラスチック製の網状体を法面の形状に合わせてほぼＬ字状に成形したものである。具体的には、先に示した地盤補強材と同じプラスチック製のネット状物や菱形の網目を持つたエキスパンドメタル材から成形したものであってもよいし、また図１または２に示した溶接金網を成形した鋼製枠２であってもよい。
【００２１】
次いで、地盤補強材１１と法面を形成する型枠１２とで囲まれた区域に盛土を行ない、転圧して第１段目の盛土を構築する。同様の工法を繰り返して、第１段目の盛土上に必要な段数の盛土を積み重ねる。法面を形成する型枠１２として図１または２に示した鋼製枠２を用いた場合、鋼製枠前面部の上端にある縦軸材先端部６を外側に折り曲げて、図７に示したフック状の係合部２６を作り、それを上段鋼製枠２の底面部分の格子目に引っ掛けて係合すると、法面形成に用いた鋼製枠２は互いに連結し、盛土全体が一体化した強固な地盤が構築される。
【００２２】
本発明の盛土工法は、このようにして形成された多段に積み重ねられた盛土最上段の法面構築箇所に本発明の蓋付鋼製枠１を設置して盛土工事を行なう施工法である。前述したように斜体材７の各端部を前面部分中央の格子材と底面部分の格子材とに引っ掛けて、あたかも筋交いをしたかのように両者を固定すると、前面部分と底面部分とのなす角度を一定に保つことができる。次いで、鋼製枠２に、その前面部分上端に突出している縦軸材先端部６を覆うように蓋３を取り付ける。鋼製枠２の前面部分上端に蓋３をかぶせたことによって、前面部分上端に突出している縦軸材先端部６を施工中の作業者が誤って踏みつけたり、足を引っ掛けたりする事故を防止することができるので、安全に施工作業を進めることができる。
【００２３】
アンカー付斜体材８は、その一端を蓋３に設けられた孔７に挿通して、前面部分上端の格子材に引っ掛け、他端を盛土に打ち込んで、鋼製枠２の前面上部の角度を固定する。この際、前記の他端は、地盤補強材を通して打ち込んでも構わないし、直接盛土に打ち込んでもよく、それによってアンカー効果が得られる。なお、他のアンカー材と併用することもできる。
【００２４】
その後、鋼製枠２と地盤補強材１１とで囲まれた区域に盛土を行ない、さらに土工機械による転圧をかけると最上段に強固な盛土体を構築することができる。この際、前面部分は転圧によって外側方向、すなわち盛土とは反対方向へ向かう力を受けるが、アンカー付斜体材８が前面部分の上端を盛土体に固定しているので、鋼製枠２の前面部分と底面部分とのなす角度はほぼ一定に保たれる。
【００２５】
【発明の効果】
本発明に係わる蓋付鋼製枠は、鋼製枠の前面部分上端に突出している縦軸材先端部に蓋を取り付けたことによって、施工作業者が安心してかつ高い効率で作業を進めることができ、また強固で安定した盛土体を構築することができる。さらに、その蓋付鋼製枠を使用した盛土工法を使用することによって、多段に積み上げた盛土体の最上段を安全にかつ効率よく施工することができる。
【図面の簡単な説明】
【図１】本発明に係わる蓋付鋼製枠の一例を示す概略斜視図である。
【図２】本発明に係わる蓋付鋼製枠の一例を示す概略断面図である。
【図３】本発明に係わる蓋付鋼製枠の蓋部分の一例を示す概略斜視図である。
【図４】本発明に係わる盛土工法の一例を説明するための概略断面図である。
【図５】地盤補強材の一例を示す概略斜視図である。
【図６】従来の盛土工法の一例を説明するための概略断面図である。
【図７】枠体の一例を示す概略斜視図である。
【符号の説明】
１　　蓋付鋼製枠
２　　鋼製枠
３　　蓋
４　　縦軸材
５　　横軸材
６　　縦軸材先端部
７　　斜体材
８　　アンカー付斜体材
９　　孔
１０　　地盤
１１　　地盤補強材
１２　　法面形成用型枠
【図１】
2004143775.tif 000003
【図２】
2004143775.tif 000004
【図３】
2004143775.tif 000005
【図４】
2004143775.tif 000006
【図５】
2004143775.tif 000007
【図６】
2004143775.tif 000008
【図７】
2004143775.tif 000009